(57)【要約】【課題】  圧電振動子のパッケージ外部の温度センサーと、圧電振動素子の直近に位置しているために同等の熱的状態にある金属製の蓋部材とを熱的に結合することによって、起動時の周波数ドリフト特性を含めた高精度な温度特性を実現した。【解決手段】  圧電デバイスは、圧電振動素子２０と、温度センサー４０と、両センサーを搭載する絶縁基板４と、絶縁基板にて第１凹所３が開口する厚肉部の端面に形成された金属封止体８と、金属封止体と接合されて第１凹所３を封止する蓋部材１０と、絶縁基板に配線されている熱伝導部材１５と、を有する。熱伝導部材は、温度センサーが搭載されている半田で覆われた温度センサー搭載パッドから、絶縁基板の内部または内壁を通って、金属封着体まで伸びており、温度センサーと蓋部材が熱的に接続される。【選択図】      図１
2014168250.tif 000002
【特許請求の範囲】
【請求項１】
圧電振動素子と、
温度センサーと、
第１面と、前記第１面の裏側である第２面と、前記第１面を底面とする第１凹所及び前記第２面を底面とする第２凹所を区画構成している肉厚部と、前記第１凹所に配置された前記圧電振動素子が搭載されている素子搭載パッドと、前記第２凹所に配置された前記温度センサーが搭載されている半田で覆われた温度センサー搭載パッドと、を備えた絶縁基板と、
前記第１凹所が開口する側の前記肉厚部の端面に配置された金属封着体と、
前記金属封着体と接合され、前記第１凹所を封止している金属製の蓋部材と、
前記絶縁基板に配線されている金属製の熱伝導部材と、
を備え、
前記熱伝導部材は、前記温度センサー搭載パッドから、前記絶縁基板の内部または内壁を通って、前記金属封着体まで伸びており、前記温度センサーと前記蓋部材が熱的に接続されていることを特徴とする圧電デバイス。
【請求項２】
前記温度センサーは、サーミスタであることを特徴とする請求項１に記載の圧電デバイス。
【請求項３】
前記熱伝導部材は、前記肉厚部の内部、または前記厚肉部が前記第１凹所に臨む内壁を通っていることを特徴とする請求項１または２に記載の圧電デバイス。
【請求項４】
前記肉厚部は貫通穴を備え、前記内部は前記貫通穴内であることを特徴とする請求項３に記載の圧電デバイス。
【請求項５】
前記熱伝導部材は、複数の配線に分かれた構成を含んでいることを特徴とする請求項１乃至４の何れか一項に記載の圧電デバイス。
【請求項６】
請求項１乃至５の何れか一項に記載の圧電デバイスを内蔵したことを特徴とする電子機器。
【発明の詳細な説明】
【技術分野】
【０００１】
本発明は、例えば圧電振動子のパッケージ外部に温度センサー付き電子部品を組み込んだ圧電デバイスにおいて、電子部品の熱的状態を圧電振動素子に近づけることにより、起動時の周波数ドリフト特性を含めた高精度な温度特性を実現することを可能とした圧電デバイス及びこれを内蔵した電子機器に関する。
【背景技術】
【０００２】
移動体通信市場においては、各種電装部品の実装性、保守・取扱性、装置間での部品の共通性等を考慮して、各機能毎に部品群のモジュール化を推進するメーカーが増えている。また、モジュール化に伴って、小型化、低コスト化も強く求められている。
特に、基準周波数信号発生用発振回路、ＰＬＬ回路、及びシンセサイザー回路等、機能及びハード構成が確立し、且つ高安定性、高性能化が要求される回路部品に関してモジュール化への傾向が強まっている。更に、これらの部品群をモジュールとしてパッケージ化することによりシールド構造が確立しやすくなるという利点がある。
複数の関連部品をモジュール化、パッケージ化することにより構築される表面実装用のＩＣ部品としては、例えば圧電振動子、圧電発振器、ＳＡＷデバイス等を例示することができる。
【０００３】
特許文献１、２、３には、これらの機能を高く維持しつつ、更なる小型化を図るために圧電振動子のパッケージ外部に発振回路、温度補償回路を含んだＩＣ部品を組み付けた構造の表面実装型圧電発振器が開示されている。
この種の圧電発振器において、圧電振動子内の圧電振動素子の温度と、圧電振動子外部に接続されたＩＣ部品に搭載された温度センサーによる検知温度との間に差が発生し易く、温度差がある場合には、発振器の発信周波数が誤った温度データに基づいた温度センサー出力に基づいて補正されるため、安定した温度・周波数特性を得ることができず、また起動時の周波数ドリフト特性が悪化する。
このような不具合に対処するために従来では、圧電振動片が直接に接続されている絶縁基板側の温度を測定点とした構成が考えられてきた。
すなわち、特許文献１には、圧電振動片をパッケージ内に収容した圧電振動子の外部に設けた電極部に、発振回路素子としてのＩＣ部品を接続した温度補償型圧電発振器において、電極部と接続されたＩＣ部品の接続端子の近傍に温度センサーを配置することによって、圧電振動片の温度と温度センサーにより感知した温度との差異を低減して温度・周波数特性、周波数ドリフト特性を安定化させる技術が開示されている。
しかし、圧電振動子側の電極部と接続されたＩＣ部品の接続端子は、発振回路の増幅器と導通した構成になる。そして増幅器は、その動作に伴い発熱が起きるので、ＩＣ部品内で温度センサーを圧電振動子側の電極部に近接させると、場合によっては、ＩＣ部品の発熱温度を検出してしまう可能性があり上述した周波数ドリフト特性を悪化させてしまいかねない。
【０００４】
次に、特許文献２には、圧電振動素子をパッケージ内に収容した圧電振動子の内部に発振回路と温度センサーを備えた第一のＩＣ部品を収容すると共に、圧電振動子の外部に温度補償回路を備えた第二のＩＣ部品を接続することによって、温度センサーを圧電振動素子と同じ温度環境下に配置して、圧電振動素子の温度と温度センサーにより感知した温度との差異を低減して温度・周波数特性、周波数ドリフト特性を安定化させる技術が開示されている。
しかし、本来圧電振動子の外部に組み付ければ足りるＩＣ部品を二分して、温度センサー付きの第一のＩＣ部品をパッケージ内に収容する構造は、コストパフォーマンス的に実現性が低く、また発振器全体の小型化に対する障害ともなる。
【０００５】
次に、特許文献３には、圧電振動素子を片持ち支持状態で収容したパッケージの外部に設けた凹所内にＩＣ部品を接続し、ＩＣ部品の温度センサー端子をパッケージ内部に設けた枕部材と接続することによって、圧電振動素子の温度と温度センサーにより感知した温度との差異を低減して温度・周波数特性、周波数ドリフト特性を安定化させる技術が開示されている。
しかし、圧電振動素子とパッケージのセラミックベースとの間には導電性接着剤が介在するため、圧電振動素子への熱伝導速度は枕部材を介した温度センサー端子への熱伝導速度よりも遅くなり、周波数ドリフト特性を効果的に高めることができない。
そして何れの特許文献の構造も、セラミック基板（絶縁基板）に圧電振動素子を搭載した構成である故に、圧電振動素子と物理的距離が近く直接接続されているセラミック基板の温度を測定すれば圧電振動素子の温度を正確に検知できるものと考えられたものではあるが、実際には周波数ドリフト特性をより良くする効果を十分得られなかった。
【先行技術文献】
【特許文献】
【０００６】
【特許文献１】特開２００６−１９１５１７公報
【特許文献２】特開２００８−２６３５６４公報
【特許文献３】特開２０１０−０３５０７８公報
【発明の概要】
【発明が解決しようとする課題】
【０００７】
以上のように、圧電振動子の外部に温度センサーを含むＩＣ部品を接続した従来の表面実装型圧電発振器にあっては、圧電振動子内の圧電振動素子の温度と、圧電振動子外部に配置された温度センサーによる検知温度との間に差が発生し易く、安定した温度・周波数特性を得ることができず、また起動時の周波数ドリフト特性が悪化するという問題があった。
本発明は上記に鑑みてなされたものであり、圧電振動子のパッケージ外部に温度センサーを備えたＩＣ部品を組み込んだ表面実装型圧電発振器において、圧電振動素子の直近に位置しているために同等の熱的状態にある金属製の蓋部材とＩＣ部品とを熱的に結合することによって、起動時の周波数ドリフト特性を含めた高精度な温度特性を実現することを可能とした表面実装型圧電発振器を提供することを目的としている。
【課題を解決するための手段】
【０００８】
本発明は、上記の課題の少なくとも一部を解決するためになされたものであり、以下の形態又は適用例として実現することが可能である。
【０００９】
［適用例１］本発明に係る圧電デバイスは、圧電振動素子を備えると共に表面実装される実装端子を備えた絶縁基板と、前記絶縁基板との間で前記圧電振動素子を気密封止する金属製の蓋部材と、温度を検知するための温度センサーを少なくとも備えた電子部品と、を備え、前記絶縁基板にはパッド電極と、該絶縁基板の絶縁材料よりも熱伝導率が高く該パッド電極と前記蓋部材との間を接続する熱伝導部材とを備え、前記電子部品は、前記パッド電極に搭載されており、前記蓋部材と前記温度センサーを、前記パッド電極と前記熱伝導部材とを介して熱伝導可能に接続したことを特徴とする。
【００１０】
パッケージの気密空間内に収容された圧電振動素子に最も近い位置にある蓋部材と温度センサー、或いは温度センサーを搭載した電子部品とを熱伝導性の良好な熱伝導部材によって熱的に接続するようにしたので、温度センサーが誤った温度データを出力することがなくなり、周波数ドリフト特性を良好化することができる。
【００１１】
［適用例２］本発明に係る圧電デバイスでは、前記熱伝導部材は、金属製であり、前記実装端子と電気的に絶縁していることを特徴とする。
【００１２】
熱伝導部材を絶縁基板材料よりも熱伝導性の高い任意の金属材料から構成し、且つ実装端子と電気的に絶縁したので、温度センサーと蓋部材等との間を熱伝導性よく接続することができる。
【００１３】
［適用例３］本発明に係る圧電デバイスでは、前記電子部品は、前記温度センサーと、前記温度補償回路と、前記圧電振動素子の励振信号を発振用に増幅するための発振回路とを集積回路化したチップ状のＩＣ部品であることを特徴とする。
【００１４】
電子部品としては種々の部品を想定できるが、その一例としてはＩＣ部品を例示できる。
【００１５】
［適用例４］本発明に係る圧電デバイスでは、前記熱伝導部材と接続した前記パッド電極は前記電子部品の調整用端子、ダミー端子、温度センサー端子、のうちの少なくとも一つの端子と接続していることを特徴とする。
【００１６】
これらのニュートラル端子は、マザーボードの熱の影響を受けずに蓋部材の熱をＩＣ部品に搭載された温度センサーに伝達することを可能とする。
【００１７】
［適用例５］本発明に係る圧電デバイスは、前記絶縁基板は、上面に前記圧電振動素子を収容する上部凹所を有すると共に、下面に前記ＩＣ部品を収容する下部凹所を備えた縦断面形状Ｈ型であり、前記熱伝導部材は、前記下部凹所内に配置した前記外部パッドを介して前記電子部品と熱的に接続されていることを特徴とする。
【００１８】
絶縁基板は、例えば縦断面形状Ｈ型であっても良い。
【００１９】
［適用例６］本発明に係る圧電デバイスは、前記絶縁基板は、内部に前記圧電振動素子を収容すると共に上部開口を前記蓋部材によって封止される素子収容凹所を備えたパッケージ部と、該パッケージ部から外部へ張り出し且つ上面に前記外部パッドを備えた電子部品搭載部と、を備え、前記熱伝導部材は、前記外部パッドを介して前記電子部品と熱的に接続されていることを特徴とする。
【００２０】
パッケージ部と、パッケージ部から外部へ張り出したＩＣ部品搭載部とを備えた絶縁基板に本発明を適用することもできる。
【００２１】
［適用例７］本発明に係る電子機器は、適用例１乃至６の何れか一項に記載の圧電デバイスを内蔵したことを特徴とする。
【００２２】
本発明の圧電デバイスは、各種電子機器に適用することができる。
【図面の簡単な説明】
【００２３】
【図１】本発明の一実施形態に係る表面実装型圧電発振器の一例としての水晶発振器の縦断面図である。
【図２】図１の水晶発振器の回路構成を示す図である。
【図３】本発明の他の実施形態に係る水晶発振器の断面図である。
【図４】図３の水晶発振器の回路構成を示す図である。
【図５】本発明の水晶発振器の温度調整を行う場合の装置構成を示す断面図である。
【図６】本発明の他の実施形態に係る水晶発振器の構成を示す縦断面図である。
【図７】本発明の他の実施形態に係る水晶発振器の構成を示す縦断面図である。
【図８】図７の水晶発振器の回路構成図である。
【図９】携帯電話機を示す図である。
【発明を実施するための形態】
【００２４】
まず、本願の発明者は、圧電振動素子の温度が直接搭載された絶縁容器の温度よりも、蓋部材の温度の方に近いことを発見した。
そこで本願発明では、圧電振動素子の温度を検知するために後述する温度センサーにて後述する蓋部材の温度を検知しようとした構成を特徴としている。
以下、本発明を図面に示した実施の形態に基づいて詳細に説明する。
図１は本発明の一実施形態に係る圧電デバイスである表面実装型圧電発振器の一例としての水晶発振器の縦断面図であり、図２はこの水晶発振器の回路構成を示す図である。
本発明に係る水晶発振器（圧電発振器）１の基本構成は、上部に水晶振動素子（圧電振動素子）２０の各励振電極と電気的に接続される内部パッド（素子搭載パッド）５を備えると共に下部に複数の実装端子６を備えた絶縁容器（絶縁基板）４と、内部パッド５上に導電性接着剤７を介して搭載される圧電振動素子２０と、絶縁容器４との間で圧電振動素子２０を気密封止する金属製の蓋部材１０と、圧電振動素子を収容した気密空間Ｓの外部の絶縁容器部位に配置された外部パッド（ＩＣ部品搭載用パッド）１２上に搭載され発振回路、温度補償回路、及び温度センサーを構成する電子部品であるＩＣ部品３０と、各実装端子６と各内部パッド５と各外部パッド１２との間を導通する接続導体９と、蓋部材とＩＣ部品との間を熱伝導可能に接続し、且つ絶縁基板材料よりも熱伝導率が高い熱伝導部材１５と、を備えた構成にある。
なお、ＩＣ部品３０に代えて、サーミスタなどの温度センサーのみを電子部品として外部パッド１２に接続して搭載することも可能である。
【００２５】
次に、図１に示した水晶発振器（圧電発振器）１の具体的な構成について説明する。
水晶発振器１は、パッケージ２の上面に設けた上部凹所３内に水晶振動素子（圧電振動素子）２０を搭載して金属製の蓋部材１０により気密封止すると共に、パッケージ２の外底面（下部凹所１１）にＩＣ部品３０を搭載した構成を有している。
パッケージ２は、上面に上部凹所３を有したセラミック等の絶縁材料からなる絶縁容器（絶縁基板）４と、上部凹所３内に配置されて水晶振動素子２０の各励振電極と電気的に接続される２つの内部パッド（素子搭載パッド）５と、絶縁容器４の外底面上に配置した複数の実装端子６と、発振回路、及び温度補償回路と共に温度センサーを集積回路化して備えたＩＣ部品３０を搭載するために絶縁容器の外底面（下部凹所１１）内に配置された外部パッド（ＩＣ部品搭載用パッド）１２と、各実装端子６と各内部パッド５と外部パッド１２との間を導通する接続導体９と、上部凹所３内に設けた２つの内部パッド５に水晶振動素子（圧電振動素子）２０上の２つの励振電極を夫々電気的に接続した状態で上部凹所３を気密封止する金属製（例えば、コバール製）の蓋部材１０と、蓋部材とＩＣ部品との間を熱伝導可能に接続し、且つセラミックから成る絶縁基板材料よりも熱伝導率が高い熱伝導部材１５と、を備えている。
なお、本例では、絶縁容器（絶縁基板）４は、上面に圧電振動素子２０を収容する上部凹所３を有すると共に、下面にＩＣ部品を収容する下部凹所１１を備えた縦断面形状Ｈ型である。
【００２６】
水晶振動素子２０は、水晶等の圧電材料からなる水晶基板（例えば、ＡＴカット水晶基板）と、水晶基板の表裏両面の振動領域に夫々形成した励振電極と、各励振電極から水晶基板端縁に延びるリード電極と、各リード端子の端部に設けたパッドと、を備えている。各パッドを内部パッド５上に導電性接着剤７を用いて接続することによって、水晶振動素子は絶縁容器上に搭載される。
各実装端子６は、下部凹所１１の底面に配置されており、通常、水晶振動素子２０側の各リード電極と導通する駆動電源用実装端子（Ｖｃｃ端子）、制御電圧印加用実装端子（Ｖｃｏｎ端子）、信号出力用実装端子（Ｏｕｔ端子）、接地回路と導通するための接地用実装端子（Ｇｎｄ端子）の４つの実装端子からなる。
なお、パッケージ２と水晶振動素子２０は、水晶振動子（圧電振動子）２５を構成している。
【００２７】
熱伝導部材１５は、モリブデン、その他、絶縁基板材料よりも熱伝導性の高い任意の金属材料から構成し、その一端部（蓋部材との接続端部）を蓋部材１０と熱的に接続する一方で、他端部（ＩＣ部品との接続端部）をシリコン製ベアチップのＩＣ部品３０の外面適所に節的に接続することによって、蓋部材１０からの熱をＩＣ部品３０に伝導させて蓋部材１０（水晶振動素子２０）とＩＣ部品３０の少なくとも外面適所、またはその周辺も含めた範囲の各温度をより早く同等にし、且つ同等に維持しようとする手段である。蓋部材が、熱伝導率が絶縁基板材料よりも高い金属製であり、更に上部凹所３内の水晶振動素子２０と直近であることで両者は同等の温度にあるため、熱伝導率の高い熱伝導部材１５を用いて蓋部材１０とＩＣ部品と熱的に結合させれば、ＩＣ部品の温度を水晶振動素子２０と限りなく近づけることが可能となる。
絶縁容器４の肉厚内部に熱伝導部材１５を配線する場合には、セラミックシートを積層して絶縁容器を形成する際に、熱伝導部材の配線経路に相当する部位に貫通穴を形成しておき、この貫通穴内に金属材料を充填（メタライズ）する。また、絶縁容器の外面に熱伝導部材の一部を配線する場合には当該部位に金属材料をメタライズする。
【００２８】
ＩＣ部品３０は、発振回路（圧電振動素子の励振信号を発振用に増幅するための増幅回路）、温度補償回路（圧電振動素子の周波数温度特性を補償するための回路）等の集積回路を備えたベアチップとしてのＩＣチップであり、温度センサー（感温素子）が内蔵されている。
ＩＣ部品３０の外面に露出配置された各端子をＩＣ部品搭載用パッド１２と一対一で対応させた状態で金などの金属バンプ接続や半田接続することにより、ＩＣ部品３０は下部凹所内に固定される。
シリコン製のベアチップとしてのＩＣ部品３０は全体的に均一且つ良好な熱伝導性を有しているため、熱伝導部材１５の他端部をＩＣ部品外面のどの部位に接触（接続）させてもよいが、温度センサーに近い部位に接触させるのが好ましい。具体的には、好ましくは例えばＩＣ部品の外面に設けた端子のうち、この水晶発振器１が搭載されるマザーボードＭＢと電気的に結合していない端子（ニュートラルな端子）と金属バンプなどの金属製接続媒体を介して機械的且つ熱的に接続される。
これは、マザーボードＭＢと電気的に結合した端子の場合、表面実装用の実装端子と導通した構成になる。
表面実装は、実装端子がマザーボードＭＢと面接触するために、マザーボードＭＢからの熱を圧電デバイスに伝達させ易い。
そこで、上述のようにニュートラルな端子を利用すれば、温度センサーには、マザーボードＭＢから伝達される蓋部材１０以外の部材の熱（温度）よりも蓋部材からの熱の方が伝わり易い構造になる。したがって、水晶振動素子と同等の熱的条件の下に温度センサーが温度を検知し、この温度データに基づいて温度補償回路を作動させて周波数を高精度に制御することができる。
【００２９】
本実施形態におけるニュートラルな端子としては、例えば、ＩＣ部品の外面に露出して配置された調整用端子、ＮＣ（ノンコネクト）端子、ダミー端子等を例示することができ、好適にはマザーボードＭＢとの実装端子と電気的に導通していないような端子である。
これらのうちの少なくとも一つの端子と熱伝導部材の他端部とを接続することにより、水晶振動素子とＩＣ部品との間の温度差を解消することが可能となる。
調整用端子は、製造時にＩＣ部品の特性を測定、調整するために設けられており、調整が終了して発振器が完成された後では使用されず、しかもマザーボードＭＢとも接続されていないため、蓋部材との接続に利用可能である。
なお、調整用端子は、ＩＣ部品にデータを入力またはＩＣ部品からデータを出力させるためにプローブと導通するが、ＮＣ端子やダミー端子はそのようなデータの入出力をしない。
このような調整工程におけるプローブとの接触による温度変化を心配する場合は、ＮＣ端子やダミー端子に熱伝導性部材を接続するのが望ましい。
【００３０】
次に、図２の回路図において、水晶振動素子２０を備えた水晶振動子２５に対して外付けされたＩＣ部品３０には、発振回路３１と、温度補償回路３３と、温度センサー（サーミスタ）４０と、Ａ／Ｄコンバータ３５等が搭載されている。温度センサー４０の出力（温度情報）は、Ａ／Ｄコンバータ３５によってデジタル信号化されて温度補償回路３３に入力され、温度補償回路３３はこの温度情報に基づいて生成した周波数制御情報を発振回路３１に出力する。発振回路３３は、この温度制御情報に基づいて温度補償周波数情報を出力する。
図２に示した端子４２は、調整用端子、ＮＣ（ノンコネクト）端子、ダミー端子として機能をもつニュートラルな端子である。
また、図示しないＮＣ端子は、本来周波数調整用に直流電圧を入力するための端子であるが、圧電デバイスとしてその機能を必要としない場合にこれを蓋部材との接続に使う。
ダミー端子は、熱伝導部材と接続されることによって蓋部材１０とＩＣ部品とを熱的に接続する以外の格別の用途は有さない熱伝導専用の端子である。
【００３１】
熱伝導部材１５は、図示したように蓋部材とＩＣ部品との間に介在する絶縁基板の肉厚内部に配設してもよいし、熱伝導部材の一部を絶縁基板の外部（凹所内壁を含む）に露出させた状態で配設してもよい。
図１に示すように絶縁容器４の上端面には蓋部材１０を溶接するための金属製の封止材としてシームリング８などの金属封着体が形成されており、絶縁容器の製造時には熱伝導部材１５の一端部はこのシームリング８と接触（溶接）した状態となっている。蓋部材をシームリングと溶着する際に熱伝導部材の一端部は蓋部材と接続固定される。熱伝導部材１５の中間部は絶縁容器の肉厚内部、或いは外面に沿って配設され、その他端部は下部凹所１１の内底面に延びて熱的にニュートラルなＩＣ部品の端子３６と固定される外部パッド１２と接続される。
このような構成であれば蓋部材から端子３６までの間が金属にて連結されるので熱伝導率の高い構造になる。
【００３２】
水晶発振器１の起動時にＩＣ部品３０に搭載された温度センサー４０により取得される温度データを水晶振動素子２０の温度に近づけて周波数ドリフト特性を向上させるためには、熱伝導部材１５によってＩＣ部品に伝達する熱量を可能な限り大きくすることが有効である。そのためには、熱伝導部材の直径を大きくすることが効果的であるが、絶縁基板の板厚との関係で直径の増大には限界があるため、熱伝導部材の本数を増やすことが現実的には有効である。熱伝導部材の本数を増やす場合には、絶縁基板の面方向（板厚方向と直交する方向）に熱伝導部材を配列することになる。
複数本の熱伝導部材を設けた場合、基本となる熱伝導部材の適所に他の熱伝導の他端部を接続してＩＣ部品と接続される端部を一本化してもよいし、各熱伝導部材の各接続端部をＩＣ部品に対して個別に接続してもよい。
【００３３】
次に、図３は本発明の他の実施形態に係る水晶発振器の断面図であり、図１と同一部材には同一符号を付して説明する。また、図４はこの水晶発振器の回路構成を示す図である。
この実施形態に係る水晶発振器１が図１の実施形態と異なる点は、熱伝導部材１５の他端部を接続するニュートラルな端子をＩＣ部品３０の外面に露出配置した温度センサー端子４５とした点にある。
図４中に示したように、温度センサー端子４５は温度センサー（サーミスタ）４０と電気的に接続された端子、例えば温度センサーの温度情報出力用の端子であり、これをＩＣ部品の外面に露出することによって熱伝導部材１５の他端部と熱的に接続できるようにしている。温度センサー端子４５は好適にはマザーボードＭＢとは導通接続されない端子であり、さらに温度センサー４０とシリコン基板上の金属配線を介して接続されているので、蓋部材１０と接続することにより蓋部材からの熱が温度センサー４０に伝達され易くなり、温度センサーが圧電振動素子の温度を検知する感度を高めることができる。
上記図１、２にて説明した実施形態以外にも水晶発振器１が搭載されるマザーボードＭＢと熱的、及び電気的に結合していないニュートラルな端子、すなわち好適にはマザーボードＭＢとの実装端子と電気的に導通していない端子であれば、熱伝導部材を介して蓋部材１０と接続することができる。
或いは、熱伝導部材１５の他端部の面積を広くして、ＩＣ部品の外面（端子形成部以外の面）と広い面積で接触するように構成して、蓋部材からＩＣ部品に伝導される熱量を増やすようにしてもよい。
【００３４】
次に、図５は本発明の水晶発振器の温度調整を行う場合の装置構成を示す断面図である。
温度調整に際しては、ペルチェ素子等の加熱手段によって加熱されたステージ５０の平坦な面上に蓋部材１０の外面を面接触させた状態で水晶発振器１を載置し、絶縁容器４の底面に配置された外部端子にプローブ５２を当接させて発振器を作動させつつ温度調整を行う。
熱伝導部材１５を備えていない従来の水晶発振器に対してこの温度調整装置により温度調整作業を行う場合には、外部端子に接触させたプローブ５２によって絶縁容器の熱が奪われるため、ＩＣ部品３０の温度と水晶振動素子２０の温度との間にずれが発生する。即ち、従来の水晶発振器にあっては、ＩＣ部品３０は下部凹所１１の底面に搭載されているため、ＩＣ部品内の温度センサーは下部凹所の底面の温度を検知することとなる。このため、プローブによって下部凹所底面の温度が奪われることによって、上部凹所３内に収容された水晶振動素子２０とＩＣ部品との間に無視しがたい程度の温度差が発生し、正確な温度調整ができなくなる。
【００３５】
これに対して上記各実施形態に係る本発明の水晶発振器の温度調整を行う場合にあっては、ＩＣ部品に搭載された温度センサーは、下部凹所の底面ではなくステージ５０と接触した蓋部材１０そのものの温度を検知することとなるため、水晶振動素子２０とＩＣ部品３０との温度差をより少なくして温度調整の精度を高めることが可能となる。
特に、図３の実施形態に係る水晶発振器にあっては、温度センサー端子４５を蓋部材１０と直結しているため、蓋部材の温度をより直接的に測定できることとなり、両者の温度差を少なくしてより高精度な調整が可能となる。
このように本発明によれば、温度センサーが検知する温度は水晶振動素子の温度をほぼ忠実に反映しており、水晶振動素子とＩＣ部品（少なくとも温度センサー）とが同じ温度に基づいて動作をすることとなる。
【００３６】
次に、図６は本発明の他の実施形態に係る水晶発振器（圧電発振器）の構成を示す縦断面図である。なお、図１と同一部分には同一符号を付して説明する。
この水晶発振器１を構成する絶縁容器（絶縁基板）４は、内部に水晶振動素子（圧電振動素子）２０を収容すると共に上部開口を蓋部材１０によって封止される素子収容凹所３を備えたパッケージ部と、パッケージ部から外部（本例では側方）へ張り出し且つ上面にＩＣ部品搭載用パッド（外部パッド）７１を備えたＩＣ部品搭載部７０と、を備えている。
そして水晶発振器１は、素子収容凹所３内に水晶振動素子２０を収容した状態で蓋部材１０にて封止した構成の水晶振動子６０と、発振回路、温度補償回路、及び温度センサーを含んだＩＣ部品３０をＩＣ部品搭載用パッド７１上に金属バンプ接続または半田接続した構成である。
【００３７】
本実施形態の特徴的な構成は、絶縁容器（パッケージ部）４の内部、或いは外面に配設された熱伝導部材１５を介してＩＣ部品３０と蓋部材１０とを熱的に接続することによって、ＩＣ部品の温度を蓋部材に近い水晶振動素子２０の温度と均一化させた点にある。
具体的には上述の実施形態と同様であり、熱伝導部材１５をメタライズとすることでＩＣ部品３０の端子３６と蓋部材１０との間を金属製の熱伝導路にて繋いだ構造である。
熱伝導部材１５は、その一端部を蓋部材１０と接続する一方で、他端部は熱伝導部材１５のＩＣ部品外面のどの部位に接触させてもよいが、温度センサー端子や、ＩＣ部品における温度センサーに近い部位に接触させるのが好ましい。具体的には、例えばＩＣ部品の外面に設けた端子のうち、この水晶発振器１が搭載されるマザーボードＭＢと電気的に結合していない端子（ニュートラルな端子）３６と金バンプなどの金属製接続媒体を介して機械的且つ熱的に接続固定される。これによって、温度センサーには、マザーボードＭＢから伝達される蓋部材１０以外の部材の熱（温度）よりも蓋部材からの熱の方が伝わり易い構造になる。したがって、水晶振動素子と同等の熱的条件の下に温度センサーが温度を検知し、この温度データに基づいて温度補償回路を作動させて周波数を高精度に制御することができる。
熱的にニュートラルな端子３６としては、例えば、ＩＣ部品の外面に露出して配置された調整用端子、温度センサー端子、ＮＣ（ノンコネクト）端子、ダミー端子、温度センサー端子を例示することができ、これらのうちの少なくとも一つの端子と熱伝導部材の他端部とを接続することにより、水晶振動素子とＩＣ部品との間の温度差を解消することが可能となる。このため、周波数ドリフト特性を高めることができる。
【００３８】
次に、図７は本発明の他の実施形態に係る水晶振動子（圧電振動子）の構成を示す縦断面図であり、図８はその圧電振動子を用いて構成した水晶発振器（圧電発振器）の回路構成図である。図１の実施形態と同一部分には同一符号を付して説明する。
水晶振動子Ａは、断面Ｈ型のパッケージ２、パッケージ２の上面に設けた上部凹所３内に収容された水晶振動素子（圧電振動素子）２０、上部凹所３を気密封止する金属製の蓋部材１０、及びパッケージ２の外底面（下部凹所１１）に搭載されたサーミスタ等の電子部品としての温度センサー（感温素子）８０を備えた温度センサー付き水晶振動子（圧電振動子）である。
水晶発振器１は、水晶振動子Ａと、ＩＣ部品（発振回路、温度補償回路）とを外部装置（例えば、図９に示すような携帯電話機、ＧＰＳモジュール等の電子機器）Ｂ側のマザーボードＭＢ上に搭載され、電子機器に内蔵される。
温度センサー付き水晶振動子Ａは、これを購入したユーザーが外部装置Ｂ内のマザーボードＭＢ上に搭載することによって、マザーボードＭＢ上の発振回路、温度補償回路（ＩＣ部品８５）との組合せによって水晶発振器が完成される。
【００３９】
パッケージ２は、上面に上部凹所３を有したセラミック等からなる絶縁容器（絶縁基板）４と、上部凹所３内に配置されて水晶振動素子２０の各励振電極と電気的に接続される２つの内部パッド（素子搭載パッド）５と、絶縁容器４の外底面上に配置した複数の実装端子６と、温度センサー８０を搭載するために絶縁容器の外底面（下部凹所１１）内に配置された外部パッド（温度センサー搭載パッド）１２と、各実装端子６と各内部パッド５と外部パッド１２との間を導通する図示しない接続導体と、上部凹所３内に設けた２つの内部パッド５に水晶振動素子（圧電振動素子）２０上の２つの励振電極を夫々電気的に接続した状態で上部凹所３を気密封止する金属製（例えば、コバール製）の蓋部材１０と、蓋部材と温度センサー８０との間を熱伝導可能に接続し、且つセラミックから成る絶縁基板材料よりも熱伝導率が高い熱伝導部材１５と、を備えている。
外部装置Ｂに搭載されたＩＣ部品８５は、発振回路８６と、温度補償回路８７と、Ａ／Ｄコンバータ８８等を含んでいる。水晶振動子Ａ側に搭載された温度センサー８０の出力（温度情報）は、Ａ／Ｄコンバータ８８によってデジタル信号化されて温度補償回路８７に入力され、温度補償回路８７はこの温度情報に基づいて生成した周波数制御情報を発振回路８６に出力する。発振回路８６は、この温度制御情報に基づいて温度補償周波数情報を生成して出力する。
【００４０】
本実施形態においては、水晶振動子Ａ側に搭載された温度センサー８０を、熱伝導部材１５を介して水晶振動素子２０の直近位置にある蓋部材１０と熱的に接続しているため、温度センサーによって直接水晶振動素子の温度を検知しているのとほぼ同等の感度を得ることが可能となる。
また増幅回路などの発熱要素を備えた発振回路８６や電源、温度補償回路８７などを備えた回路部分を水晶振動素子と遠ざけて配置することが可能であるので、温度センサー８０はより水晶振動素子の温度を正確に検知することができる。
またニュートラルな端子として、実装端子に導通しない構成のものを説明したが、例えば、ニュートラルな端子と実装端子との間に配線が接続されていた場合であっても、ニュートラルな端子と蓋部材との間を接続する熱導伝導性部材である配線の方の経路がより多く存在する、近いなどの構成によって熱伝導特性に優れるような場合であれば、本発明の効果を期待することができるが、十分な効果を得るには上述の実施形態のようにニュートラルな端子を実装端子に導通させない構成とすることが望ましい。
【００４１】
以上の構成を備えた各実施形態に係る発明は次のような効果を奏する。
即ち、温度補償機能付きの水晶発振器にあっては、温度センサーによって検知された水晶振動素子についての誤った温度データ信号（電圧値）にもとづいて周波数が補正されると、水晶発振器に電圧を印加した時点での発振周波数と、電圧を印加してから一定時間が経過した時点での発振周波数との周波数変動差を示す周波数ドリフト特性が悪くなるといった問題があった。
本発明では、パッケージの気密空間内に収容された水晶振動素子に最も近い位置にある蓋部材と温度センサー（温度センサーを搭載したＩＣ部品）とを熱伝導性の良好な熱伝導部材によって熱的に接続するようにしたので、温度センサーが誤った温度データを出力することがなくなり、周波数ドリフト特性を良好化することができる。
なお、上記実施形態では絶縁基板４として上面側に上部凹所３を備えた絶縁容器を例示したが、上面が平坦な絶縁基板４上に水晶振動素子２０を導電性接着剤により搭載し、この水晶振動素子を含む絶縁基板上の空間を逆椀状の金属蓋（蓋部材）によって気密封止するように構成してもよい。
上記実施形態では、圧電発振器の代表例として水晶発振器を例示したが、本発明は圧電材料から成る圧電振動素子を使用した発振器一般や、角速度センサーなど圧電振動素子を物理量センサーとした圧電デバイスにも適用することができる。
【符号の説明】
【００４２】
１…表面実装型圧電発振器、２…パッケージ、３…上部凹所、４…絶縁基板（絶縁容器）、５…素子搭載パッド、６…実装端子、７…導電性接着剤、８…シームリング、９…接続導体、１０…蓋部材、１１…下部凹所、１２…ＩＣ部品搭載用パッド（外部パッド）、１５…熱伝導部材、２０…水晶振動素子、２５…水晶振動子、３０…ＩＣ部品、３１…発振回路、３３…温度補償回路、３３…発振回路、３５…Ｄコンバータ、３６…ニュートラル端子、４０…温度センサー、４２…温度センサー端子、４５…温度センサー端子、５０…ステージ、５２…プローブ、６０…水晶振動子、７０…ＩＣ部品搭載部、７１…ＩＣ部品搭載用パッド（外部パッド）、８０…温度センサー、８５…ＩＣ部品、８６…発振回路、８７…温度補償回路、８８…Ａ／Ｄコンバータ
【図１】
2014168250.tif 000003
【図２】
2014168250.tif 000004
【図３】
2014168250.tif 000005
【図４】
2014168250.tif 000006
【図５】
2014168250.tif 000007
【図６】
2014168250.tif 000008
【図７】
2014168250.tif 000009
【図８】
2014168250.tif 000010
【図９】
2014168250.tif 000011